(57)【要約】ダウンリンク制御情報を效率的に伝達する方法が開示される。最大２個のコードワードを同時に伝送できる多重アンテナシステムにおいて制御情報を伝達する方法において、２個のコードワードを通じて伝送される情報ブロックに関するＭＣＳ情報、新しいデータ指示子及びリダンダンシーバージョンを伝送し、また、前記２個のコードワードを通じて伝送される情報ブロック間にスワッピングの起こるか否かを表すスワッピング指示子、及び前記２個のコードワードを通じた伝送のうちいずれか一方が不活性化されるか否かを表す活性化／不活性化情報のうち一つ以上を含む追加制御情報を伝送し、この時、前記２個のコードワードを通じた伝送のうちいずれか一方が不活性化される場合、前記スワッピング指示子は、使用が留保されるように設定することによって、シグナリングオーバーヘッドを減少させながらも必要な情報を效率的に伝達することができる。【選択図】図１０
2011510556.tif 000002
【特許請求の範囲】
【請求項１】
最大２個のコードワードを同時に伝送できる多重アンテナシステムにおいて制御情報を伝達する方法であって、
前記２個のコードワードを通じて伝送される情報ブロックに対するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を伝送する段階と、
前記２個のコードワードを通じて伝送される情報ブロック間にスワッピングが起こるか否かを表すスワッピング指示子、及び前記２個のコードワードを通じた伝送のうちいずれか一方が不活性化されるか否かを表す活性化／不活性化情報のうち一つ以上を含む追加制御情報を伝送する段階と、
を含み、
前記２個のコードワードを通じた伝送のうちいずれか一方が不活性化される場合、前記スワッピング指示子は、使用が留保されることを特徴とする、ダウンリンク制御情報伝達方法。
【請求項２】
前記追加制御情報を通じて、
前記２個のコードワードを通じて伝送される情報ブロックがスワッピング無しで伝送される第１の場合と、
前記２個のコードワードを通じて伝送される情報ブロックが互いにスワッピングして伝送される第２の場合と、
前記２個のコードワードを通じた伝送のうちいずれか一方が不活性化され、前記２個のコードワードを通じて伝送される情報ブロックのうち一つが、活性化されたコードワードを通じて伝送される第３の場合及び第４の場合と、
を表すことを特徴とする、請求項１に記載のダウンリンク制御情報伝達方法。
【請求項３】
前記スワッピング指示子は、ダウンリンク制御情報に明示的な１ビット情報として含まれて伝送され、
前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に受信端に伝達されることを特徴とする、請求項１に記載のダウンリンク制御情報伝達方法。
【請求項４】
最大２個のコードワードを同時に受信できる多重アンテナシステムにおいて制御情報を受信する方法であって、
前記２個のコードワードを通じて伝送される情報ブロックに関するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を受信する段階と、
前記２個のコードワードを通じて伝送される情報ブロック間にスワッピングの起こるか否かを表すスワッピング指示子、及び前記２個のコードワードを通じた伝送のうちいずれか一方が不活性化されるか否かを表す活性化／不活性化情報のうち一つ以上を含む追加制御情報を受信する段階と、
を含み、
前記２個のコードワードを通じた伝送のうちいずれか一方が不活性化される場合、前記スワッピング指示子は、使用が留保されることを特徴とする、ダウンリンク制御情報受信方法。
【請求項５】
前記追加制御情報を通じて、
前記２個のコードワードを通じて伝送される情報ブロックがスワッピング無しで伝送される第１の場合と、
前記２個のコードワードを通じて伝送される情報ブロックが互いにスワッピングして伝送される第２の場合と、
前記２個のコードワードを通じた伝送のうちいずれか一方が不活性化され、前記２個のコードワードを通じて伝送される情報ブロックのうち一つが、活性化されたコードワードを通じて伝送される第３の場合及び第４の場合と、
を表すことを特徴とする、請求項４に記載のダウンリンク制御情報受信方法。
【請求項６】
前記スワッピング指示子は、ダウンリンク制御情報に明示的な１ビット情報として含まれて受信され、
前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に認識されることを特徴とする、請求項４に記載のダウンリンク制御情報受信方法。
【発明の詳細な説明】
【技術分野】
【０００１】
本発明は、多重アンテナ通信システムに係り、特に、コードワードスワッピング（ｓｗａｐｐｉｎｇ）情報及びコードワード活性化／不活性化情報を含むダウンリンク制御情報を效率的に伝達する方法に関するものである。
【背景技術】
【０００２】
現在、通信システムで用いられる誤り制御アルゴリズムは、大きく、ＡＲＱ（Ａｕｔｏｍａｔｉｃ  Ｒｅｐｅａｔ  ｒｅｑｕｅｓｔ）及びＦＥＣ（Ｆｏｒｗａｒｄ  Ｅｒｒｏｒ  Ｃｏｒｒｅｃｔｉｏｎ）といった２方式に分類することができる。ＡＲＱ方式には、Ｓｔｏｐ  ａｎｄ  Ｗａｉｔ  ＡＲＱ、Ｇｏ−Ｂａｃｋ−Ｎ  ＡＲＱ、選択的反復（Ｓｅｌｅｃｔｉｖｅ−Ｒｅｐｅａｔ）ＡＲＱなどがある。Ｓｔｏｐ  ａｎｄ  Ｗａｉｔ  ＡＲＱは、毎度、伝送されたフレームが正確に受信されたか否かを確認した後、次のフレームを伝送する手法であり、Ｇｏ−Ｂａｃｋ−Ｎ  ＡＲＱは、連続したＮ個のデータフレームを伝送し、成功的に伝送がされないと、エラーの発生したフレーム以降に伝送された全てのデータフレームを再伝送する方式である。そして、選択的反復ＡＲＱ手法は、エラーの発生したフレームのみを選択的に再伝送する方式である。
【０００３】
一方、ＨＡＲＱ（Ｈｙｂｒｉｄ  Ａｕｔｏｍａｔｉｃ  Ｒｅｐｅａｔ  ｒｅＱｕｅｓｔ）とは、ＡＲＱとＦＥＣとを結合して誤りを制御する技術であり、再伝送時に受信されたデータの誤り訂正符号化能力を極大化させる方式のことをいう。ＨＡＲＱは、再伝送時に伝送されるビットの特性によって、ＣＣ（ｃｈａｓｅ  ｃｏｍｂｉｎｇ）  ＨＡＲＱとＩＲ（ｉｎｃｒｅｍｅｎｔａｌ  ｒｅｄｕｎｄａｎｃｙ）ＨＡＲＱとに分類される。ＣＣ  ＨＡＲＱは、再伝送時に１次伝送で使用したデータをそのまま用いて受信端でＳＮＲ比を高めることで利得（ｇａｉｎ）を得ようとする方法であり、ＩＲ  ＨＡＲＱは、再伝送時に冗長ビット（ｒｅｄｕｎｄａｎｃｙ  ｂｉｔｓ）を伝送して結合することで受信端でコーディング利得（ｃｏｄｉｎｇ  ｇａｉｎ）を得、性能を向上させる方式である。
【０００４】
図１は、ＨＡＲＱ方式のうち、Ｓｔｏｐ  ａｎｄ  Ｗａｉｔ  ＡＲＱ方式の概念を説明するための図である。
【０００５】
図１に示すように、Ｓｔｏｐ  ａｎｄ  ｗａｉｔ  ＨＡＲＱプロトコルは、一つのプロセスブロックを伝送した後、受信端から個別的にＡＣＫ（ＡＣＫｎｏｗｌｅｄｇｅｍｅｎｔ）／ＮＡＣＫ（Ｎｏ  ＡＣＫ）を受信して、データを再伝送するか否かを判別する方法である。このようなＳｔｏｐ  ａｎｄ  ｗａｉｔ  ＨＡＲＱプロトコルは、最も単純でありながらも効率的な伝送方法であるが、データの送信端がＡＣＫ／ＮＡＣＫをデータの受信端から受信するまでの往復時間（Ｒｏｕｎｄｉｎｇ  Ｔｒｉｐ  ｔｉｍｅ；以下、“ＲＴＴ”という。）によりリンク伝送効率が低下する。
【０００６】
図２は、Ｎ−チャネルＳｔｏｐ  ａｎｄ  ｗａｉｔ  ＨＡＲＱプロトコル手法を説明するための図である。
【０００７】
すなわち、Ｎ−チャネルＳｔｏｐ  ａｎｄ  ｗａｉｔ  ＨＡＲＱプロトコル手法とは、図１を参照して上述した方式の問題点を補完するために、図２に示すように、ＡＣＫ／ＮＡＣＫを送信及び受信するまで伝送リンクが使用されない時間に複数個（Ｎ）の独立したＳｔｏｐ−ａｎｄ  Ｗａｉｔ  ＨＡＲＱを動作させる手法のことをいう。これにより、プロセシング遅延を減少させることができる。
【０００８】
一方、ＭＩＭＯ（Ｍｕｌｔｉｐｌｅ  Ｉｎｐｕｔ  Ｍｕｌｔｉｐｌｅ  Ｏｕｔｐｕｔ）手法とは、基地局及び端末機で２個以上の送／受信アンテナを用いて空間的に複数のデータストリームを同時に伝送することによって、システムの容量を増加させる方式のことをいう。この手法は、複数の送信アンテナを用いて送信ダイバーシティ（ｄｉｖｅｒｓｉｔｙ）利得またはビームフォーミング（Ｂｅａｍ  ｆｏｒｍｉｎｇ）利得を得ることができる。
【０００９】
送信ダイバーシティ手法は、複数の送信アンテナを通じて同じデータ情報を伝送することによって、速い時変チャネル状況で信頼度の高いデータ伝送を可能にし、受信機からのチャネル関連フィードバック情報なしにも具現できるという利点を有する。ビームフォーミング（Ｂｅａｍｆｏｒｍｉｎｇ）は、複数の送信アンテナにそれぞれ適宜の重み値（ｗｅｉｇｈｔｉｎｇ  ｖａｌｕｅｓ）を乗じることで受信機の受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために用いられ、一般的に、ＦＤＤ（Ｆｒｅｑｕｅｎｃｙ  Ｄｉｖｉｓｉｏｎ  Ｄｕｐｌｅｘｉｎｇ）システムでアップリンク／ダウンリンクのチャネルが独立しているから、適宜のビームフォーミング利得を得るためには信頼性の高いチャネル情報が必要とされ、よって、受信機から別途のフィードバック（Ｆｅｅｄｂａｃｋ）を受けて使用する。
【００１０】
一方、単一ユーザ及び多重ユーザに対する空間多重化方式について簡略に説明すると、下記の通りである。
【００１１】
図３は、ＭＩＭＯ通信システムで用いられる空間多重化（Ｓｐａｔｉａｌ  Ｍｕｌｔｉｐｌｅｘｉｎｇ：  ＳＭ）及び空間分割多重接続（Ｓｐａｔｉａｌ  Ｄｉｖｉｓｉｏｎａｌ  Ｍｕｌｔｉｐｌｅ  Ａｃｃｅｓｓ）方式の概念を示す図である。
【００１２】
単一ユーザに対する空間多重化は、ＳＭあるいはＳＵ−ＭＩＭＯ（Ｓｉｎｇｌｅ  Ｕｓｅｒ  ＭＩＭＯ）と呼ばれ、図３の左側に示すように、一つのユーザの複数のアンテナを用いてデータを送信し、これにより、ＭＩＭＯチャネルの容量はアンテナ数に比例して増加する。一方、多重ユーザに対する空間多重化は、ＳＤＭＡあるいはＭＵ−ＭＩＭＯ（Ｍｕｌｔｉ−Ｕｓｅｒ  ＭＩＭＯ）と呼ばれ、図３の右側に示すように、複数のユーザアンテナを通じてデータ送受信が行われる。
【００１３】
ＭＩＭＯ手法は、同時に伝送されるＮ個のデータストリームを一つのチャネルエンコーディングブロックを用いて伝送する単一コードワード（Ｓｉｎｇｌｅ  ＣｏｄｅＷｏｒｄ：ＳＣＷ）方式と、Ｎ個のデータストリームをＭ（ここで、Ｍは、常に、Ｎより小さいまたは等しい。）個のチャネルエンコーディングブロックを用いて伝送する多重コードワード（Ｍｕｌｔｉｐｌｅ  ＣｏｄｅＷｏｒｄ：ＭＣＷ）方式を含む。この場合、各チャネルエンコーディングブロックは独立したコードワード（Ｃｏｄｅｗｏｒｄ）を生成し、各コードワードは、独立したエラー検出が可能なように設計される。
【００１４】
一方、このようなコードワードは、一つ以上のレイヤーを通じて伝送され、各コードワードを通じて伝送される情報は、互いにスワッピング（ｓｗａｐｐｉｎｇ）して伝送することができる。また、複数のコードワードを同時に伝送できる無線通信システムで、特定コードワードが不活性化（ｄｉｓａｂｌｅ）されることもある。
【発明の概要】
【発明が解決しようとする課題】
【００１５】
本発明は上記の点に鑑みてなされたもので、その目的は、多重アンテナ通信システムにおいて、コードワードスワッピング情報及びコードワード活性化／不活性化情報を含むダウンリンク制御情報を效率的に伝達する方法を提供することにある。
【課題を解決するための手段】
【００１６】
上記課題を解決するための本発明の一側面では、最大２個のコードワードを同時に伝送できる多重アンテナシステムにおいて制御情報を伝達する方法であって、前記２個のコードワードを通じて伝送される情報ブロックに対するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を伝送し、前記２個のコードワードを通じて伝送される情報ブロック間にスワッピングが起こるか否かを表すスワッピング指示子及び前記２個のコードワードを通じた伝送のうちいずれか一方が不活性化されるか否かを表す活性化／不活性化情報のうち一つ以上を含む追加制御情報を伝送する段階を含み、ここで、前記２個のコードワードを通じた伝送のうちいずれか一方が不活性化される場合、前記スワッピング指示子は、使用が留保されることを特徴とするダウンリンク制御情報伝達方法を提供する。
【００１７】
また、本発明の他の側面では、最大２個のコードワードを同時に受信できる多重アンテナシステムにおいて制御情報を受信する方法であって、前記２個のコードワードを通じて伝送される情報ブロックに関するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を受信し、前記２個のコードワードを通じて伝送される情報ブロック間にスワッピングが起こるか否かを表すスワッピング指示子、及び前記２個のコードワードを通じた伝送のうちいずれか一方が不活性化されるか否かを表す活性化／不活性化情報のうち一つ以上を含む追加制御情報を受信する段階を含み、ここで、前記２個のコードワードを通じた伝送のうちいずれか一方が不活性化される場合、前記スワッピング指示子は、使用が留保されることを特徴とするダウンリンク制御情報受信方法を提供する。
【００１８】
ここで、前記追加制御情報を通じて、前記２個のコードワードを通じて伝送される情報ブロックがスワッピング無しで伝送される第１の場合、前記２個のコードワードを通じて伝送される情報ブロックが互いにスワッピングして伝送される第２の場合、前記２個のコードワードを通じた伝送のうちいずれか一方が不活性化され、前記２個のコードワードを通じて伝送される情報ブロックのうち一つが活性化されたコードワードを通じて伝送される第３の場合及び第４の場合を表すように設定することができる。
【００１９】
なお、前記スワッピング指示子は、ダウンリンク制御情報に明示的な１ビット情報として含まれ、前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に伝達されることができる。
【発明の効果】
【００２０】
上記のような本発明の各実施の形態によると、多重アンテナ通信システムにおいてコードワードスワッピング情報及びコードワード活性化／不活性化情報を含むダウンリンク制御情報を效率的に伝達することができる。
【図面の簡単な説明】
【００２１】
本発明の理解を助け、且つ本明細書に組み込まれてその一部を構成する図面が、本発明の原理を述べる説明とともに本発明の実施例を示すために添付される。
【図１】ＨＡＲＱ方式のうち、Ｓｔｏｐ  ａｎｄ  Ｗａｉｔ  ＡＲＱ方式の概念を説明するための図である。
【図２】Ｎ−チャネルＳｔｏｐ  ａｎｄ  ｗａｉｔ  ＨＡＲＱプロトコル手法を説明するための図である。
【図３】ＭＩＭＯ通信システムで用いられる空間多重化（Ｓｐａｔｉａｌ  Ｍｕｌｔｉｐｌｅｘｉｎｇ：  ＳＭ）及び空間分割多重接続（Ｓｐａｔｉａｌ  Ｄｉｖｉｓｉｏｎａｌ  Ｍｕｌｔｉｐｌｅ  Ａｃｃｅｓｓ）方式の概念を示す図である。
【図４】多重コードワードを使用するＭＩＭＯシステムの送信端構造を示す図である。
【図５】コードワードと物理的なアンテナとのマッピング関係を示す図である。
【図６】ｍ個のＨＡＲＱプロセスブロックを同時に伝送して、各ＨＡＲＱプロセスブロックに対するＡＣＫ／ＮＡＣＫ信号を受信する多重ＨＡＲＱ手法を説明するための図である。
【図７】同時に伝送されるＨＡＲＱプロセスブロックがＨＡＲＱプロセス番号を共用するように設定する方法を説明するための図である。
【図８】図８Ａおよび図８Ｂは、本発明の一実施の形態によって特定コードワードを通じてヌルデータを伝送する概念を示す図である。
【図９】本発明の一実施の形態によってコードワードがスワッピングして伝送される概念を説明するための図である。
【図１０】本発明の一実施の形態によって、同時に伝送されるＨＡＲＱプロセスブロック間の区分が可能であり、同時に伝送されるＨＡＲＱプロセスブロックのスワッピング及びヌルデータ伝送が可能なように設定する概念を説明するための図である。
【発明を実施するための形態】
【００２２】
以下、本発明の好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すものではない。
【００２３】
以下の詳細な説明は、本発明の完全な理解を提供するために具体的細部事項を含む。しかし、当業者には、本発明がこのような具体的細部事項なしにも実施されうることが理解できる。場合によっては、本発明の概念が曖昧になることを避けるために、公知の構造及び装置が省略されたり、各構造及び装置の核心機能を中心にしたブロック図の形式で示される。また、本明細書全体を通じて同一の構成要素については同一の図面符号を使用して説明する。
【００２４】
上述の通り、本発明は、多重アンテナ通信システムにおいてコードワードスワッピング情報及びコードワード活性化／不活性化情報を含むダウンリンク制御情報を效率的に伝達する方法を提供する。このために、まず、以下では、多重アンテナシステムにおいてコードワードの伝送関係及び一般的にダウンリンク伝送のために必要な制御情報について説明した後、これに基づいて上記のスワッピング情報及びコードワード活性化／不活性化情報を效率的に伝達する方法について説明する。
【００２５】
図４は、多重コードワードを使用するＭＩＭＯシステムの送信端構造を示す図である。
【００２６】
具体的に、Ｍ個のデータパケット（Ｄａｔａ  Ｐａｃｋｅｔ）は、エンコーディング（例えば、図４のターボエンコーディング）と変調（例えば、図４のＱＡＭ変調）をそれぞれ経てＭ個のコードワードを生成し、各コードワードは、独立したＨＡＲＱプロセスブロックを有するようになる。変調されたＭ個のデータシンボルは同時にＭＩＭＯ端で多重アンテナ手法によってエンコーディングされ、それぞれの物理アンテナ（Ｐｈｙｓｉｃａｌ  Ａｎｔｅｎｎａ）を通じて伝送される。その後、受信端では、多重アンテナチャネル状況に関してチャネル品質情報をフィードバックすることで、空間多重化率、コーディング率及び変調方式を調節することができる。
【００２７】
その他にも、図４に示すようなＭＩＭＯ伝送のためには、送信端が用いる変調及びコーディング方式に関するＭＣＳ情報、伝送されるデータが新しいデータなのか、或いは、再伝送されるデータなのかを表す新しいデータ指示子（ＮＤＩ）、再伝送時にどのサブパケットを再伝送するかを表すリダンダンシーバージョン（ＲＶ）情報などが必要とされる。
【００２８】
一方、コードワードと物理的なアンテナとのマッピング関係は、任意の形態を有することができる。
【００２９】
図５は、コードワードと物理的なアンテナとのマッピング関係を示す図である。
【００３０】
図５は、具体的に、３ＧＰＰ  ＴＳ  ３６．２１１におけるダウンリンクにおいて、空間多重化率によるコードワード（ＣＷ）対レイヤーマッピング方法を示している。すなわち、空間多重化率が１の場合、一つのコードワードが一つのレイヤーにマッピングされ、一つのレイヤーで生成されたデータは、プリコーディング手法によって４個の送信アンテナを通じて伝送されるようにエンコーディングされる。また、空間多重化率が２の場合、２個のコードワードが２個のレイヤーにマッピングされ、プリコーダによって４個のアンテナにマッピングされる。また、空間多重化率が３の場合、２個のコードワードのうち一つのコードワードが、直−並列変換器（Ｓ／Ｐ）によって２個のレイヤーにマッピングされることで、総２個のコードワードが３個のレイヤーにマッピングされた後、プリコーダによって４個のアンテナにマッピングされる。また、空間多重化率が４の場合、２個のコードワードのそれぞれが直−並列変換器によってそれぞれ２個のレイヤーにマッピングされて、総４個のレイヤーがプリコーダによって４個のアンテナにマッピングされる。
【００３１】
すなわち、４個の送信アンテナを有する基地局では、最大４個のレイヤーを有することができ、４個の独立したコードワードを有することができるが、図５では、コードワードの個数を最大２個のみを有するように構成されたシステムを取り上げている。したがって、図５に示すシステムでは、各コードワード（ＣＷ）が独立したＨＡＲＱプロセスを有するとする場合、最大２個の独立したＨＡＲＱプロセスが伝送されることがわかる。
【００３２】
一方、プリコーダ（Ｐｒｅｃｏｄｅｒ）は、通常、Ｍｔ（送信アンテナの個数）＊ｖ（空間多重化率）行列（Ｍａｔｒｉｘ）で表現され、送／受信機があらかじめ定めておいた行列の集合を用いて状況に応じて適宜プリコーディング行列を適応的に使用する。このようなプリコーディング行列の集合をコードブック（ｃｏｄｅｂｏｏｋ）といい、下記の表１及び表２は、３ＧＰＰ  ＴＳ  ３６．２１１でダウンリンクに使用されるコードブックの一例を表す。
【００３３】
【表１】
2011510556.tif 000003
【００３４】
【表２】
2011510556.tif 000004
【００３５】
具体的に、上記の表１は、２アンテナシステム（２Ｔｘシステム）で用いられるコードブックを表し、上記の表２は、４アンテナシステム（４Ｔｘシステム）に用いられるコードブックを表す。
【００３６】
一方、Ｓｔｏｐ−Ａｎｄ−Ｗａｉｔ  ＨＡＲＱ方法では、データ受信端は、データを成功的に受信したか否かを、ＣＲＣ（Ｃｙｃｌｉｃ  Ｒｅｄｕｎｄａｎｃｙ  Ｃｈｅｃｋ）のような誤り検出符号を通じて確認する。便宜上、本説明では、エラーの検出されうるデータ単位を‘ＨＡＲＱプロセスブロック’という。そして、システムにおいて定められた区間内、例えば、ＲＴＴ（ｒｏｕｎｄ  ｔｒｉｐ  ｔｉｍｅ）内で、伝送できるＨＡＲＱプロセスブロックを区別するために使用する識別因子を、‘ＨＡＲＱプロセス番号（ＨＡＲＱ  ｐｒｏｃｅｓｓ  ｎｕｍｂｅｒ）’とする。
【００３７】
データの誤りが検出されないと、受信端はＡＣＫ信号を伝送し、エラーが検出される場合には、受信端はＮＡＣＫ信号を伝送する。ＡＣＫ信号を受信したデータ送信端は、その次のデータを伝送する。ＮＡＣＫ信号を受信したデータ送信端は、誤りの発生した該当のデータを再伝送する。この時、再伝送されるデータは、ＨＡＲＱタイプによって再伝送するデータの形式を変えることもできる。
【００３８】
一方、伝送帯域幅が広いか、または、多重アンテナを用いてデータを送信する場合は、多数個のＨＡＲＱプロセスブロックを同時に伝送することもできる。
【００３９】
図６は、ｍ個のＨＡＲＱプロセスブロックを同時に伝送し、各ＨＡＲＱプロセスブロックに対するＡＣＫ／ＮＡＣＫ信号を受信する多重ＨＡＲＱ手法を説明するための図である。
【００４０】
すなわち、送信側では、図６に示すように、定められた伝送単位において多数個（ｍ）のＨＡＲＱプロセスブロックを同時に伝送することができる。すると、データを受信した受信端では、ｍ個のＨＡＲＱプロセスブロックに対するｍ個のＡＣＫ／ＮＡＣＫ信号をデータ送信端に伝送することができる。さらに、図６に示すような多重ｓｔｏｐ−ａｎｄ−ｗａｉｔ  ＨＡＲＱ手法を、図２を参照して上述したＮチャネルｓｔｏｐ  ａｎｄ  ｗａｉｔ  ＨＡＲＱ手法と結合して、より效率的に適用することもできる。
【００４１】
すなわち、ＲＴＴ内に最大ｎ個のＨＡＲＱプロセスブロックが動作することができ、ｍ個のＨＡＲＱプロセスブロックを同時に伝送するシステムで発生しうるＨＡＲＱプロセス番号の組み合わせ個数は、下記の通りである。
【００４２】
【数１】
2011510556.tif 000005
【００４３】
これを支援するための全てのＨＡＲＱプロセス番号の組み合わせを表現するための制御シグナリングのビット数は、下記の通りである。
【００４４】
【数２】
2011510556.tif 000006
【００４５】
一方、同時に伝送されるＨＡＲＱプロセスブロックの個数、すなわち、同時に用いられるレイヤーの個数を、任意の信号を通じて知らせると、ＨＡＲＱプロセス番号の組み合わせを表現するための制御シグナリングのビット数は、下記のように表すことができる。
【００４６】
【数３】
2011510556.tif 000007
【００４７】
このような制御情報のオーバーヘッドを減らすための方法の一つに、ＳＩＭＯにおいてＨＡＲＱプロセスＩＤを区別するために用いたＮビットをそのままＭＩＭＯにおいても使用する手法がある。
【００４８】
図７は、同時に伝送されるＨＡＲＱプロセスブロックがＨＡＲＱプロセス番号を共用するように設定する方法を説明するための図である。
【００４９】
具体的に、図７は、ＲＴＴ（Ｒｏｕｎｄ  Ｔｒｉｐ  Ｔｉｍｅ）の間に、最大８ＨＡＲＱプロセスブロックが動作することができ、２個のレイヤーを同時に用いることができるから、ＲＴＴの間に最大１６個のＨＡＲＱプロセスブロックを伝送できる場合を示している。ただし、図７では、同時に伝送されるＨＡＲＱプロセスブロックが、ＨＡＲＱプロセス番号０〜７を共用することによって、３ビットの制御情報のみでもＨＡＲＱプロセス番号の表現が可能なように設定する例を示している。
【００５０】
上記の説明に基づき、図４を参照して上述したようなＭＩＭＯ伝送、図５などを参照して上述したレイヤーマッピング、プリコーディング及びＨＡＲＱプロセス番号シグナリングなどのために、３ＧＰＰ  ＬＴＥシステムでは、下記のような制御情報を用いることが論議されている。
【００５１】
【表３−１】
2011510556.tif 000008
【００５２】
【表３−２】
2011510556.tif 000009
【００５３】
【表３−３】
2011510556.tif 000010
【００５４】
ただし、上記の制御情報形態だけでは、下記のような問題が生じうる。
【００５５】
例えば、最大２個のコードワード伝送が可能であり、４個の送信アンテナを有する多重アンテナシステムを仮定する。このとき、空間多重化率が４の場合、１番目のコードワード（ＣＷ１）は、（１、２）番目のレイヤーを通じて伝送され、２番目のコードワード（ＣＷ２）は、（３、４）番目のレイヤーを通じて伝送されることができる。この場合、エラー検出は、コードワード単位で可能であるから、もし、ＣＷ１にのみエラーが検出され、再伝送時点にチャネル状況が変わって空間多重化率を２として伝送しなければならない場合、エラーの生じたＣＷ１には、チェース結合（ｃｈａｓｅ  ｃｏｍｂｉｎｉｎｇ）のようなＨＡＲＱ方式を使用できないという問題がある。
【００５６】
また、ＣＷ２の伝送が完了して、ＣＷ２のバッファーが空いている場合、現在空間多重化率が４であるにもかかわらずにＣＷ１のみを伝送するようになる状況に適宜対応できなくなる。
【００５７】
そして、ＭＩＭＯモードで同時に伝送される多数個のＨＡＲＱプロセスブロックを一つのＨＡＲＱプロセスブロックとして共有する場合、再伝送時に、アンテナ選択やランク適応（ｒａｎｋ  ａｄａｐｔａｔｉｏｎ）によってデータがレイヤーにマッピングされる位置が変わったり、一つのデータが伝送されたりする場合は、ＨＡＲＱプロセス番号だけでは認識が不可能である。
【００５８】
上記の問題を解決するために、本発明の一実施の形態では、特定ＣＷにヌル（ｎｕｌｌ）データを送ることを提案する。
【００５９】
図８Ａ及び図８Ｂは、本発明の一実施の形態によって特定コードワードを通じてヌルデータを伝送する概念を示す図である。
【００６０】
具体的に、図８Ａ及び図８Ｂは、図５に示すようなレイヤーマッピング関係のうち、空間多重化率を２以上として伝送する状況で、突然一つのＣＷのバッファーが空になったり、チャネルの空間多重化率が小さくなったりする場合に、一つのＣＷを通じてヌルデータを伝送する概念を示す図で、図８Ａは、コードワード１を通じてヌルデータを伝送する場合を、図８Ｂは、コードワード２を通じてヌルデータを伝送する場合を示している。
【００６１】
このような方式によると、まるで２つのＣＷがいずれも使用されているかのように多重アンテナ手法が用いられるが、実際には、ヌルデータによって空間多重化率が小さくなるように設定することができる。このように、特定コードワードを通じてヌルデータが伝送される場合は、当該コードワードが不活性化（ｄｉｓａｂｌｅ）された場合と表現することができる。また、本発明において特定コードワードが不活性化されることは、コードワード伝送そのものが不活性化される場合（ヌルデータが伝送される場合）、及び各コードワードを通じて伝送される情報が不活性化される場合を含む。例えば、図８Ａ及び図８Ｂでは、ＣＷ１またはＣＷ２そのものが不活性化される場合を示しているが、ＣＷ１／ＣＷ２にマッピングされる伝送ブロック１／伝送ブロック２の大きさが０である場合も含む概念である。
【００６２】
また、本発明の一実施の形態では、ＣＷ１とＣＷ２の位置が換わって伝送されうるように設定することを提案する。
【００６３】
図９は、本発明の一実施の形態によってコードワードがスワッピングして伝送される概念を説明するための図である。
【００６４】
図９では、図５に示すようなレイヤーマッピング関係のうち、２以上のコードワードが伝送される場合、ＣＷ１及びＣＷ２が伝送される位置がスワッピングされた形態を示している。ただし、本発明においてスワッピングは、２個のコードワードそのものの伝送位置が換わる場合の他に、各コードワードを通じて伝送される情報が、コードワードにマッピングされる位置が換わって伝送される場合もを含む概念とする。例えば、各コードワードに伝送ブロック（Ｔｒａｎｓｐｏｒｔ  ｂｌｏｃｋ）がマッピングされて伝送される場合、コードワードそのものの伝送位置を換えることに限定されず、各伝送ブロックがコードワードにマッピングされる位置を換えることも、本発明に係るスワッピングに含まれる概念である。
【００６５】
したがって、図７に示すようなＨＡＲＱプロセスブロックのインデクシングは、下記のように変更されることを提案する。
【００６６】
図１０は、本発明の一実施の形態によって、同時に伝送されるＨＡＲＱプロセスブロック間において区分可能であり、同時に伝送されるＨＡＲＱプロセスブロックのスワッピング及びヌルデータ伝送が可能なように設定する概念を説明するための図である。
【００６７】
すなわち、図１０では、同時に伝送されるＨＡＲＱプロセスブロックに“ａ”、“ｂ”を付加して互いに区分することが要求され、再伝送時にも同様、“ａ”及び“ｂ”を区別して再伝送することを提案する。
【００６８】
また、各ＨＡＲＱプロセスブロックをレイヤーにマッピングする際、“ａ”及び“ｂ”のレイヤーマッピングをスワッピングできることが好ましい。
【００６９】
このために、本発明の一実施の形態では、下記のような６つの状態を区分するために追加制御情報を受信側に伝達することを提案する。
【００７０】
【表４】
2011510556.tif 000011
【００７１】
上記の表４で、“Ｓｗａｐｐｉｎｇ”は、コードワードの伝送位置が互いに換わったり、各コードワードにマッピングされる情報が交換される場合を表し、“ｎｕｌｌ  Ｔｘ”は、ＣＷＡまたはＣＷＢにヌルデータが伝送される場合、または各コードワードにマッピングされる伝送ブロックが不活性化される場合を表す。
【００７２】
これらの情報をダウンリンク制御情報フィールドに表す時、明示的（ｅｘｐｌｉｃｉｔ）にまたは黙示的（ｉｍｐｌｉｃｉｔ）に表すことができる。例えば、上記の表３に、上記の表４の場合を表すための制御情報フィールドを明示的に追加することができる。この時、全ての場合を考えると、６つの場合を表現するために３ビットの制御情報が必要とされる。
【００７３】
しかし、６つの場合を全部表現するために必要な３ビットの制御情報は、８つの場合を表しうるビット数であって、６つの場合を表すために多少オーバーヘッドを含むというべきである。したがって、本発明の好ましい一実施の形態では、上記の表４における６つの場合を、下記の表５のように、４つの場合と減らして用いることによって、制御情報オーバーヘッドを減少させながらも略同一の性能を維持させることを提案する。
【００７４】
【表５】
2011510556.tif 000012
【００７５】
具体的に、上記の表５では、上記の表４においてＣＷＡまたはＣＷＢが不活性化される場合、スワッピング機能の使用を留保することによって２つの場合を省略することを表している。すなわち、いずれか一方のコードワードが不活性化された場合、コードワード間の伝送位置スワッピングは、２個のコードワードが伝送される場合に比べて実益が減少するから、本実施の形態では、いずれか一方のコードワードが不活性化される場合、スワッピング機能を留保することを提案する。
【００７６】
上述したように、上記の表５における４つの状態情報は、明示的なシグナリングを通じて、または他の制御情報を通じて黙示的に伝達することができる。
【００７７】
本発明の一実施の形態では、上記の表３における２ビットのＲＳＮフィールド情報を用いてスワッピングされるか否かを表すことを提案する。例えば、ＲＳＮフィールドが０であれば、スワッピングが用いられないことを表し、ＲＳＮフィールドが１乃至３の場合は、スワッピングが行われることを表すように設定することができる。また、本発明の他の実施の形態では、１ビットの新しいデータ指示子（ＮＤＩ）及び２ビットのＲＳＮ情報を用いて下記のようにスワッピングされるか否かを表すように設定することができる。
【００７８】
【表６】
2011510556.tif 000013
【００７９】
または、任意の制御情報フィールドのうち、余分の状態（ｓｔａｔｅ）が存在すると、この状態に、必要な情報を追加して表現することもできる。
【００８０】
例えば、上記の表１に示すようなプリコーディング情報（Ｐｒｅｃｏｄｉｎｇ  ｉｎｆｏｒｍａｔｉｏｎ）フィールドにおいて余分の状態が存在すると、必要な情報の一つであるスワッピングＣＷＡ／Ｂを表す状態を、当該空の状態に追加して表現することができる。
【００８１】
【表７−１】
2011510556.tif 000014
【００８２】
【表７−２】
2011510556.tif 000015
【００８３】
上記の表７の上段は、上記の表１をそのまま表現したものであり、表７の下段は、上記の表１の空の状態に、ＣＷスワッピングを表すプリコーディング行列を追加したものである。
【００８４】
また、余分の状態がより多く存在すると、必要な他の情報も追加することができる。
【００８５】
また、本発明の他の実施の形態では、上記の表１に示すようなコードブックを下記のように変形することで特定コードワードが不活性化されることを表すように設定することもできる。
【００８６】
【表８−１】
2011510556.tif 000016
【００８７】
【表８−２】
2011510556.tif 000017
【００８８】
上記の表８は、上記の表１のコードブックにおいて、“ｎｕｍｂｅｒ  ｏｆ  ｌａｙｅｒ”フィールドとプリコーディング情報フィールドが同一の列で表現され、インデックス０〜５は、ランク１に関する情報であり、残りのインデックスは、ランク２に関する情報を表すように設定された例を表している。特に、インデックス９〜１１は“ｎｕｌｌ  Ｔｘ  Ａ”、すなわち、コードワードＡがヌルデータを伝送する場合を、インデックス１２〜１４は“ｎｕｌｌ  Ｔｘ  Ｂ”、すなわち、コードワードＢがヌルデータを伝送する場合を表す。
【００８９】
本発明の一実施の形態では、スワッピングが起こるか否かについては明示的な１ビット情報としてダウンリンク制御情報に含めながら、特定コードワードの不活性化については、上記の表８のように他の制御情報を通じて黙示的に知らせる方法を提案する。
【００９０】
このような実施の形態の一例として、下記の表８は、スワッピングの起こるか否かについては明示的な１ビット情報を使用し、コードワード活性化状態については、上記の表８のようなプリコーディング情報を用いる例を表している。
【００９１】
【表９】
2011510556.tif 000018
【００９２】
上記の表９の例において、状態（ｓｔａｔｅ）“１”または“２”は、明示的なスワッピングフラグによる状態を表し、上記の表８で、インデックス６〜１４は、レイヤー２に対する場合であるから、スワッピングの起こるか否かによって異なる状態を表すようになる。特に、インデックス９〜１４の場合、特定コードワードが不活性化される場合を示している。
【００９３】
このように、制御情報フィールドを用いて同一の状態を様々な意味とすることもできる。
【００９４】
さらに他の例として、表３の第１の伝送ブロックと第２の伝送ブロックの伝送フォーマットが、データのサイズが‘０’であるという意味を有すると、上記の表９の例と同様に、スワッピングの起こるか否かについては明示的なスワッピングフラグを用い、ｎｕｌｌ  Ｔｘについては、他の制御情報、例えば、新しいデータ指示子（ＮＤＩ）、リダンダンシーバージョン（ＲＶ）、ＭＣＳ情報のうち一つ以上の組み合わせによって下記のような状態情報を表すことができる。
【００９５】
【表１０】
2011510556.tif 000019
【００９６】
一方、第１の伝送ブロックと第２の伝送ブロックの伝送フォーマットがデータのサイズ‘０’を有するという意味を表現する方法には、様々なものがある。その一つとして、伝送フォーマットフィールドの状態に、大きさが‘０’であるという意味を有する状態を表現することができる。また、もし、大きさが‘０’になる場合には、フィールドそのものを表さない方法がある。第１の伝送ブロックをＣＷ１に、第２の伝送ブロックをＣＷ２にマッピングするという意味を与えると、ＣＷ１を不活性化させるためには、第１の伝送ブロックの伝送フォーマットフィールドを除去して表現し、ＣＷ２を不活性化させるためには、第２の伝送ブロックの伝送フォーマットフィールドを除去すればいい。
【００９７】
しかし、第１の伝送ブロックに伝送されるデータが１つであるという意味を与えると、ＣＷ１やＣＷ２に関係なく常に一つのデータが伝送される場合は、第１の伝送ブロックの伝送フォーマットフィールドを通じてデータ大きさが伝送されるように設定することができる。この場合、任意の状態情報を通じて明示的にまたは黙示的にＣＷ１／ＣＷ２の区別が可能であるとする。
【００９８】
第１の伝送ブロックと第２の伝送ブロックの伝送フォーマットフィールドに、大きさが‘０’であるという状態を追加し、明示的なスワッピング情報を用いる場合、本実施の形態によって必要な４つの状態をいずれも表すことができる。
【００９９】
以上の本発明の好適な実施の形態についての詳細な説明は、当業者が本発明を具現し実施できるように提供された。以上では、具体的な実施の形態に上げて本発明を説明したが、当該技術分野に熟練された当業者には、添付の特許請求の範囲に記載された本発明の思想及び領域を逸脱しない範囲内で本発明を様々に修正及び変更できるということが理解される。したがって、本発明は、ここに開示された実施の形態に制限されるものではなく、ここで開示された原理及び新規の特徴と一致する最も広いの範囲を有するものである。
【産業上の利用可能性】
【０１００】
上記のような本発明の各実施の形態による制御情報伝達方法は、上述した３ＧＰＰ  ＬＴＥシステムだけでなく、最大２個のコードワードを同時に伝送でき、スワッピング及び特定コードワードの不活性化を必要とするいずれの多重アンテナシステムにも同一の原理によって適用されることができる。
【図１】
2011510556.tif 000020
【図２】
2011510556.tif 000021
【図３】
2011510556.tif 000022
【図４】
2011510556.tif 000023
【図５】
2011510556.tif 000024
【図６】
2011510556.tif 000025
【図７】
2011510556.tif 000026
【図８】
2011510556.tif 000027
【図９】
2011510556.tif 000028
【図１０】
2011510556.tif 000029
【手続補正書】
【提出日】平成22年7月14日(2010.7.14)
【手続補正１】
【補正対象書類名】明細書
【補正対象項目名】００１９
【補正方法】変更
【補正の内容】
【００１９】
なお、前記スワッピング指示子は、ダウンリンク制御情報に明示的な１ビット情報として含まれ、前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に伝達されることができる。
（項目１）
最大２個のコードワードを同時に伝送できる多重アンテナシステムにおいて制御情報を伝達する方法であって、
前記２個のコードワードを通じて伝送される情報ブロックに対するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を伝送する段階と、
前記２個のコードワードを通じて伝送される情報ブロック間にスワッピングが起こるか否かを表すスワッピング指示子、及び前記２個のコードワードを通じた伝送のうちいずれか一方が不活性化されるか否かを表す活性化／不活性化情報のうち一つ以上を含む追加制御情報を伝送する段階と、
を含み、
前記２個のコードワードを通じた伝送のうちいずれか一方が不活性化される場合、前記スワッピング指示子は、使用が留保されることを特徴とする、ダウンリンク制御情報伝達方法。
（項目２）
前記追加制御情報を通じて、
前記２個のコードワードを通じて伝送される情報ブロックがスワッピング無しで伝送される第１の場合と、
前記２個のコードワードを通じて伝送される情報ブロックが互いにスワッピングして伝送される第２の場合と、
前記２個のコードワードを通じた伝送のうちいずれか一方が不活性化され、前記２個のコードワードを通じて伝送される情報ブロックのうち一つが、活性化されたコードワードを通じて伝送される第３の場合及び第４の場合と、
を表すことを特徴とする、項目１に記載のダウンリンク制御情報伝達方法。
（項目３）
前記スワッピング指示子は、ダウンリンク制御情報に明示的な１ビット情報として含まれて伝送され、
前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に受信端に伝達されることを特徴とする、項目１に記載のダウンリンク制御情報伝達方法。
（項目４）
最大２個のコードワードを同時に受信できる多重アンテナシステムにおいて制御情報を受信する方法であって、
前記２個のコードワードを通じて伝送される情報ブロックに関するＭＣＳ（Ｍｏｄｕｌａｔｉｏｎ  ａｎｄ  Ｃｏｄｉｎｇ  Ｓｃｈｅｍｅ）情報、新しいデータ指示子（ＮＤＩ）及びリダンダンシーバージョン（ＲＶ）を受信する段階と、
前記２個のコードワードを通じて伝送される情報ブロック間にスワッピングの起こるか否かを表すスワッピング指示子、及び前記２個のコードワードを通じた伝送のうちいずれか一方が不活性化されるか否かを表す活性化／不活性化情報のうち一つ以上を含む追加制御情報を受信する段階と、
を含み、
前記２個のコードワードを通じた伝送のうちいずれか一方が不活性化される場合、前記スワッピング指示子は、使用が留保されることを特徴とする、ダウンリンク制御情報受信方法。
（項目５）
前記追加制御情報を通じて、
前記２個のコードワードを通じて伝送される情報ブロックがスワッピング無しで伝送される第１の場合と、
前記２個のコードワードを通じて伝送される情報ブロックが互いにスワッピングして伝送される第２の場合と、
前記２個のコードワードを通じた伝送のうちいずれか一方が不活性化され、前記２個のコードワードを通じて伝送される情報ブロックのうち一つが、活性化されたコードワードを通じて伝送される第３の場合及び第４の場合と、
を表すことを特徴とする、項目４に記載のダウンリンク制御情報受信方法。
（項目６）
前記スワッピング指示子は、ダウンリンク制御情報に明示的な１ビット情報として含まれて受信され、
前記活性化／不活性化情報は、前記新しいデータ指示子（ＮＤＩ）、前記リダンダンシーバージョン（ＲＶ）及び前記ＭＣＳ情報のうち一つ以上の組み合わせによって黙示的に認識されることを特徴とする、項目４に記載のダウンリンク制御情報受信方法。
【手続補正２】
【補正対象書類名】特許請求の範囲
【補正対象項目名】全文
【補正方法】変更
【補正の内容】
【特許請求の範囲】
【請求項１】
最大２個のコードワードを同時に伝送できる多重アンテナシステムにおいてダウンリンク制御情報を伝達する方法であって、
前記２個のコードワードを通じて伝送される第１の情報ブロック及び第２の情報ブロックに対して、前記第１の情報ブロックに関する第１のＭＣＳ（Ｍｏｄｕｌａｔｉｏｎ  ａｎｄ  Ｃｏｄｉｎｇ  Ｓｃｈｅｍｅ）情報、第１の新しいデータ指示子（ＮＤＩ）及び第１のリダンダンシーバージョン（ＲＶ）、及び前記第２の情報ブロックに関する第２のＭＣＳ（Ｍｏｄｕｌａｔｉｏｎ  ａｎｄ  Ｃｏｄｉｎｇ  Ｓｃｈｅｍｅ）情報、第２の新しいデータ指示子（ＮＤＩ）及び第２のリダンダンシーバージョン（ＲＶ）を含む前記ダウンリンク制御情報を伝送する段階と、
前記２個のコードワードを通じて伝送される前記第１及び第２の情報ブロック間にスワッピングの起こるか否かを表すスワッピング指示子、及び前記２個のコードワードを通じた伝送のうちいずれか一方が不活性化されるか否かを表す活性化／不活性化情報のうち一つ以上を含む追加ダウンリンク制御情報を伝送する段階と、
を含み、
前記２個のコードワードを通じた伝送のうちいずれか一方が不活性化される場合、前記スワッピング指示子は、使用が留保されることを特徴とする、ダウンリンク制御情報伝達方法。
【請求項２】
前記追加ダウンリンク制御情報を通じて、
前記２個のコードワードを通じて伝送される前記第１及び第２の情報ブロックがスワッピング無しで伝送される第１の場合と、
前記２個のコードワードを通じて伝送される前記第１及び第２の情報ブロックが互いにスワッピングして伝送される第２の場合と、
前記２個のコードワードを通じた伝送のうちいずれか一方が不活性化され、前記２個のコードワードを通じて伝送される前記第１及び第２の情報ブロックのうち一つが、活性化されたコードワードを通じて伝送される第３の場合及び第４の場合と、
を表すことを特徴とする、請求項１に記載のダウンリンク制御情報伝達方法。
【請求項３】
前記スワッピング指示子は、前記ダウンリンク制御情報に明示的な１ビット情報として含まれて伝送され、
前記活性化／不活性化情報は、前記第１及び第２の新しいデータ指示子（ＮＤＩ）、前記第１及び第２のリダンダンシーバージョン（ＲＶ）及び前記第１及び第２のＭＣＳ情報のうち一つ以上の組み合わせによって黙示的に受信端に伝達されることを特徴とする、請求項１に記載のダウンリンク制御情報伝達方法。
【請求項４】
最大２個のコードワードを同時に受信できる多重アンテナシステムにおいてダウンリンク制御情報を受信する方法であって、
前記２個のコードワードを通じて伝送される第１の情報ブロック及び第２の情報ブロックに対して、前記第１の情報ブロックに関する第１のＭＣＳ（Ｍｏｄｕｌａｔｉｏｎ  ａｎｄ  Ｃｏｄｉｎｇ  Ｓｃｈｅｍｅ）情報、第１の新しいデータ指示子（ＮＤＩ）及び第１のリダンダンシーバージョン（ＲＶ）、及び前記第２の情報ブロックに関する第２のＭＣＳ（Ｍｏｄｕｌａｔｉｏｎ  ａｎｄ  Ｃｏｄｉｎｇ  Ｓｃｈｅｍｅ）情報、第２の新しいデータ指示子（ＮＤＩ）及び第２のリダンダンシーバージョン（ＲＶ）を含むダウンリンク制御情報を受信する段階と、
前記２個のコードワードを通じて伝送される前記第１及び第２の情報ブロック間にスワッピングの起こるか否かを表すスワッピング指示子、及び前記２個のコードワードを通じた伝送のうちいずれか一方が不活性化されるか否かを表す活性化／不活性化情報のうち一つ以上を含む追加ダウンリンク制御情報を受信する段階と、
を含み、
前記２個のコードワードを通じた伝送のうちいずれか一方が不活性化される場合、前記スワッピング指示子は、使用が留保されることを特徴とする、ダウンリンク制御情報受信方法。
【請求項５】
前記追加ダウンリンク制御情報を通じて、
前記２個のコードワードを通じて伝送される前記第１及び第２の情報ブロックがスワッピング無しで伝送される第１の場合と、
前記２個のコードワードを通じて伝送される前記第１及び第２の情報ブロックが互いにスワッピングして伝送される第２の場合と、
前記２個のコードワードを通じた伝送のうちいずれか一方が不活性化され、前記２個のコードワードを通じて伝送される前記第１及び第２の情報ブロックのうち一つが、活性化されたコードワードを通じて伝送される第３の場合及び第４の場合と、
を表すことを特徴とする、請求項４に記載のダウンリンク制御情報受信方法。
【請求項６】
前記スワッピング指示子は、前記ダウンリンク制御情報に明示的な１ビット情報として含まれて受信され、
前記活性化／不活性化情報は、前記第１及び第２の新しいデータ指示子（ＮＤＩ）、前記第１及び第２のリダンダンシーバージョン（ＲＶ）及び前記第１及び第２のＭＣＳ情報のうち一つ以上の組み合わせによって黙示的に認識されることを特徴とする、請求項４に記載のダウンリンク制御情報受信方法。
【国際調査報告】
2011510556.tif 000030
2011510556.tif 000031